(57)【要約】セル間干渉を抑制し、データ送信の効率向上を可能するための無線基地局は、判断部と割当部を有する。判断部は、無線基地局が形成する第１セルに通信エリアの少なくとも一部が重なる第２セルを形成する他の無線基地局から送信される無線信号が、無線基地局が送信する無線信号の干渉を受けているか否かを判断する。割当部は、判断部によって干渉を受けていると判断された無線信号を送信している他の無線基地局が複数ある場合、複数の他の無線基地局のそれぞれが形成する第２セルが互いに近接しているか否かを判定し、判定にしたがって、無線基地局がデータ送信を抑制する時間を示す送信抑制タイミングを時間軸方向で割り当てる。割当部は複数の第２セルが近接している場合、送信抑制タイミングを複数の他の無線基地局間で異なるように割り当て、複数の第２セルが近接していない場合、送信抑制タイミングを複数の他の無線基地局間で同一となるように割り当てる。
2017033435.tif 000002
【特許請求の範囲】
【請求項１】
無線基地局であって、
前記無線基地局が形成するセルである第１セルに通信エリアの少なくとも一部が重なる第２セルを形成する他の無線基地局から送信される無線信号が、当該無線基地局が送信する無線信号の干渉を受けているか否かを判断する判断部と、
前記判断部によって前記干渉を受けていると判断された無線信号を送信している他の無線基地局が複数ある場合、その複数の他の無線基地局のそれぞれが形成する第２セルが互いに近接しているか否かを判定し、該判定にしたがって、前記無線基地局がデータ送信を抑制する時間を示す送信抑制タイミングを時間軸方向で割り当てる割当部と、を有し、
前記割当部は、前記判定の結果、前記複数の第２セルが近接している場合、前記送信抑制タイミングを該複数の他の無線基地局間で異なるように割り当て、前記複数の第２セルが近接していない場合、前記送信抑制タイミングを該複数の他の無線基地局間で同一となるように割り当てる、無線基地局。
【請求項２】
請求項１に記載の無線基地局において、
前記割当部は、
前記複数の他の無線基地局と通信接続される端末が測定した信号強度の情報を用いて、前記複数の第２セルが互いに近接しているか否かを判定する、無線基地局。
【請求項３】
請求項１に記載の無線基地局において、
前記割当部は、
前記複数の他の無線基地局のそれぞれから報告される、該他の無線基地局の第２セルに隣接するセルの情報である隣接セル情報を用いて、前記複数の第２セルが互いに近接しているか否かを判定する、無線基地局。
【請求項４】
請求項１から３のいずれか１項に記載の無線基地局において、
前記割当部は、
前記複数の他の無線基地局に対応して、当該他の無線基地局に割り当てた前記送信抑制タイミングを示すパターンを通知する、無線基地局。
【請求項５】
請求項１から３のいずれか１項に記載の無線基地局において、
前記割当部は、
前記複数の他の無線基地局のそれぞれに、当該複数の他の無線基地局に割り当てた前記送信抑制タイミングの全てを示すパターンを通知する、無線基地局。
【請求項６】
請求項１から５のいずれか１項に記載の無線基地局において、
前記割当部は、
前記送信抑制タイミングを前記複数の他の無線基地局に通知する際、ｅＩＣＩＣ（ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）で規定された方法を用いる、無線基地局。
【請求項７】
無線基地局によるセル間干渉調整方法であって、
前記無線基地局が形成するセルである第１セルに通信エリアの少なくとも一部が重なる第２セルを形成する他の無線基地局から送信される無線信号が、当該無線基地局が送信する無線信号の干渉を受けているか否かを判断し、
前記干渉を受けていると判断された無線信号を送信している他の無線基地局が複数ある場合、その複数の他の無線基地局のそれぞれが形成する第２セルが互いに近接しているか否かを判定し、
前記判定の結果、前記複数の第２セルが近接している場合、前記無線基地局がデータ送信を抑制する時間を示す送信抑制タイミングを該複数の他の無線基地局間で異なるように割り当て、前記複数の第２セルが近接していない場合、前記送信抑制タイミングを該複数の他の無線基地局間で同一となるように割り当てる、セル間干渉調整方法。
【請求項８】
無線基地局に、
前記無線基地局が形成するセルである第１セルに通信エリアの少なくとも一部が重なる第２セルを形成する他の無線基地局から送信される無線信号が、当該無線基地局が送信する無線信号の干渉を受けているか否かを判断することと、
前記干渉を受けていると判断された無線信号を送信している他の無線基地局が複数ある場合、その複数の他の無線基地局のそれぞれが形成する第２セルが互いに近接しているか否かを判定することと、
前記判定の結果、前記複数の第２セルが近接している場合、前記無線基地局がデータ送信を抑制する時間を示す送信抑制タイミングを該複数の他の無線基地局間で異なるように割り当て、前記複数の第２セルが近接していない場合、前記送信抑制タイミングを該複数の他の無線基地局間で同一となるように割り当てることを実行させるためのプログラムを記憶する記憶媒体。
【発明の詳細な説明】
【技術分野】
【０００１】
本発明は、無線通信ネットワークの制御に関し、特に無線リソースの割り当て技術に関する。
【背景技術】
【０００２】
ＬＴＥ（Ｌｏｎｇ  Ｔｅｒｍ  Ｅｖｏｌｕｔｉｏｎ）では、無線信号の送信電力が小さく、通信エリアの小さいピコセルにより多くのＵＥ（Ｕｓｅｒ  Ｅｑｕｉｐｍｅｎｔ）を収容させるために、ＣＲＥ（Ｃｅｌｌ  Ｒａｎｇｅ  Ｅｘｐａｎｓｉｏｎ）という手法が用いられている。ＣＲＥとは、ハンドオーバ判定で用いられるセル固有のオフセット値（ＣＩＯ：Ｃｅｌｌ  Ｉｎｄｉｖｉｄｕａｌ  Ｏｆｆｓｅｔ）に小さな値をセットすることで、ハンドオーバを起きにくくし、ピコセルの通信エリアを広げる手法である。【０００３】
しかし、ＣＲＥによって拡大された通信エリアに存在するＵＥは、マクロセルなどの隣接セルから大きな干渉を受けるため、パフォーマンスが低下する問題がある。この問題を解消する手段として、ｅＩＣＩＣ（ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）というセル間干渉抑制方式が提案されている。ｅＩＣＩＣにおいて、干渉源となるセル（例えば、マクロセル）を「ａｇｇｒｅｓｓｏｒセル」と称し、マクロセル等のようなａｇｇｒｅｓｓｏｒセルから干渉を受けるセル（例えば、ピコセル）を「ｖｉｃｔｉｍセル」と称する。【０００４】
ｅＩＣＩＣは、ａｇｇｒｅｓｓｏｒセルの基地局が自局と接続されるＵＥに対してＡＢＳ（Ａｌｍｏｓｔ  Ｂｌａｃｋ  Ｓｕｂｆｒａｍｅ）パターンで示される時間でのデータ送信を抑制し、その間にｖｉｃｔｉｍセルの基地局が、自セル内に存在するＵＥであって、ａｇｇｒｅｓｓｏｒセルから大きな干渉を受けるＵＥ（以下では、ｖｉｃｔｉｍ  ＵＥと称する）と通信することで、ｖｉｃｔｉｍ  ＵＥのパフォーマンスを向上させる方式である（特許文献１参照）。【０００５】
ｅＩＣＩＣを実現するための手順を簡単に説明する。【０００６】
ａｇｇｒｅｓｓｏｒセルの基地局は、ＵＥからの要求等によりａｇｇｒｅｓｓｏｒ  ｅＩＣＩＣ処理の開始が必要と判断すると、どのようなサブフレームのパターンで自セルが送信を抑制するかを示すＡＢＳパターンを決定する。続いて、ａｇｇｒｅｓｓｏｒセルの基地局は、決定したＡＢＳパターンに基づいて自セルのデータ送信を抑制する。また、ａｇｇｒｅｓｓｏｒセルの基地局は、決定したＡＢＳパターンをＸ２メッセージを用いてｖｉｃｔｉｍセルに通知する。ｖｉｃｔｉｍセルの基地局は、ａｇｇｒｅｓｓｏｒセルの基地局から受け取ったＡＢＳパターンに基づいて、ｖｉｃｔｉｍ  ＵＥに対して送信を行う。
【先行技術文献】
【特許文献】
【０００７】
【特許文献１】特表２０１４−５２２２１５号公報
【発明の概要】
【発明が解決しようとする課題】
【０００８】
ａｇｇｒｅｓｓｏｒセルに複数のｖｉｃｔｉｍセルが存在する場合、ｖｉｃｔｉｍセルの位置を考慮してＡＢＳを割り当てる必要がある。２つのｖｉｃｔｉｍセルの無線信号が干渉するほど近接している場合と干渉しないほど離れている場合を考えてみる。【０００９】
図１４は２つのｖｉｃｔｉｍセルが近接する場合を示し、図１５は２つのｖｉｃｔｉｍセルが近接していない場合を示す。【００１０】
はじめに、２つのｖｉｃｔｉｍセルが近接している場合を、図１４を参照して説明する。【００１１】
図１４に示すように、ネットワークは、マクロセルの無線基地局（以下では、マクロ基地局と称する）１５１と、ピコセルの無線基地局（以下では、ピコ基地局と称する）２５１、２５４と、ネットワーク３５１とを有する。マクロ基地局１５１はａｇｇｒｅｓｓｏｒセルとなるマクロセル１５２の基地局である。マクロセル１５２はマクロ基地局１５１がカバーする領域である。ピコ基地局２５１、２５４はｖｉｃｔｉｍセルとなるピコセルの基地局である。マクロ基地局１５１およびピコ基地局２５１、２５４はネットワーク３５１を介して接続されている。ネットワーク３５１はＸ２メッセージを基地局間で交換するためのネットワークである。【００１２】
ピコセル２５２、２５５はＣＲＥ適用前のピコ基地局２５１、２５４の通信エリアである。ピコセル２５３、２５６はＣＲＥ適用後のピコ基地局２５１、２５４の通信エリアである。ＵＥ４０１、４０２はピコセル２５３とピコセル２５６が互いにオーバラップする領域に位置する。ＵＥ４０１、４０２のそれぞれはピコ基地局２５１によるピコセル２５３とピコ基地局２５４によるピコセル２５６の両方に属している。ここでは、ピコ基地局２５１がＵＥ４０１と通信し、ピコ基地局２５４がＵＥ４０２と通信するものとする。【００１３】
図１４に示すケースにおいて、マクロ基地局が複数のサブフレームからなるフレームのうち、１つのサブフレーム(このサブフレームを「サブフレーム＃１」とする)だけＡＢＳを割り当てた場合を考える。【００１４】
このとき、ピコ基地局２５１は、サブフレーム＃１にＵＥ４０１向けのデータを割り当てて送信する。ピコ基地局２５４は、サブフレーム＃１にＵＥ４０２向けのデータを割り当てて送信する。ＵＥ４０１は、ピコ基地局２５４がＵＥ４０２向けに送信したデータにより干渉を受けるため、ＡＢＳを用いているにも関わらずパフォーマンスを向上させることができない。ＵＥ４０２についても、ＵＥ４０１と同様に、ピコ基地局２５１から出力される電波の干渉を受けるために、パフォーマンスを向上させることができない。この場合、ＡＢＳとして割り当てるサブフレーム数を２つに増やし、ピコ基地局２５１とピコ基地局２５４にそれぞれ異なるＡＢＳが割り当てられることが望ましい。【００１５】
次に、２つのｖｉｃｔｉｍセルが近接していない場合を、図１５を参照して説明する。【００１６】
この場合、ＵＥ４０１はピコ基地局２５４からの無線信号の干渉を受けず、ＵＥ４０２も同様にピコ基地局２５１からの無線信号の干渉を受けないため、他のピコセルからの干渉によるパフォーマンスの劣化は起きない。図１４に示す場合に、ＡＢＳとして割り当てるサブフレーム数を、図１３に示す場合と同様に、２つにすることも可能である。しかし、ＡＢＳは、ａｇｇｒｅｓｓｏｒセル内のＵＥのパフォーマンスに悪影響を及ぼすため、ＡＢＳの数は少ない方がよい。よって、図１４に示す場合は、ａｇｇｒｅｓｓｏｒセル内のＵＥのパフォーマンスへの影響を抑制するために、ピコ基地局２５１、２５４に同一のＡＢＳを割り当てるのが望ましい。【００１７】
ａｇｇｒｅｓｓｏｒセルの基地局はＡＢＳパターンを決定する必要があるが、多くのサブフレームをＡＢＳとして割り当てると、自セル内に存在するＵＥへのデータ送信の機会を失うため、可能な限りＡＢＳを少なく割り当てるのが望ましい。一方、ｖｉｃｔｉｍセルとしては、ｖｉｃｔｉｍ  ＵＥへのパフォーマンスを向上させるために、より多くのサブフレームをＡＢＳとして割り当てられるのが望ましい。【００１８】
本発明は上述したような技術が有する問題点を解決するためになされたものであり、セル間干渉を抑制し、データ送信の効率向上を可能にした無線基地局、セル間干渉調整方法および無線基地局に実行させるための記憶媒体を提供することを目的とする。
【課題を解決するための手段】
【００１９】
上記目的を達成するための本発明の無線基地局は、
無線基地局であって、
前記無線基地局が形成するセルである第１セルに通信エリアの少なくとも一部が重なる第２セルを形成する他の無線基地局から送信される無線信号が、当該無線基地局が送信する無線信号の干渉を受けているか否かを判断する判断部と、
前記判断部によって前記干渉を受けていると判断された無線信号を送信している他の無線基地局が複数ある場合、その複数の他の無線基地局のそれぞれが形成する第２セルが互いに近接しているか否かを判定し、該判定にしたがって、前記無線基地局がデータ送信を抑制する時間を示す送信抑制タイミングを時間軸方向で割り当てる割当部と、を有し、
前記割当部は、前記判定の結果、前記複数の第２セルが近接している場合、前記送信抑制タイミングを該複数の他の無線基地局間で異なるように割り当て、前記複数の第２セルが近接していない場合、前記送信抑制タイミングを該複数の他の無線基地局間で同一となるように割り当てる構成である。【００２０】
また、本発明のセル間干渉調整方法は、無線基地局によるセル間干渉調整方法であって、
前記無線基地局が形成するセルである第１セルに通信エリアの少なくとも一部が重なる第２セルを形成する他の無線基地局から送信される無線信号が、当該無線基地局が送信する無線信号の干渉を受けているか否かを判断し、
前記干渉を受けていると判断された無線信号を送信している他の無線基地局が複数ある場合、その複数の他の無線基地局のそれぞれが形成する第２セルが互いに近接しているか否かを判定し、
前記判定の結果、前記複数の第２セルが近接している場合、前記無線基地局がデータ送信を抑制する時間を示す送信抑制タイミングを該複数の他の無線基地局間で異なるように割り当て、前記複数の第２セルが近接していない場合、前記送信抑制タイミングを該複数の他の無線基地局間で同一となるように割り当てるものである。【００２１】
さらに、本発明の記憶媒体に記録されたプログラムは、無線基地局に、
前記無線基地局が形成するセルである第１セルに通信エリアの少なくとも一部が重なる第２セルを形成する他の無線基地局から送信される無線信号が、当該無線基地局が送信する無線信号の干渉を受けているか否かを判断する手順と、
前記干渉を受けていると判断された無線信号を送信している他の無線基地局が複数ある場合、その複数の他の無線基地局のそれぞれが形成する第２セルが互いに近接しているか否かを判定する手順と、
前記判定の結果、前記複数の第２セルが近接している場合、前記無線基地局がデータ送信を抑制する時間を示す送信抑制タイミングを該複数の他の無線基地局間で異なるように割り当て、前記複数の第２セルが近接していない場合、前記送信抑制タイミングを該複数の他の無線基地局間で同一となるように割り当てる手順を実行させるものである。
【発明の効果】
【００２２】
本発明によれば、セル間干渉を抑制すると共に、データ送信の効率を向上させることができる。
【図面の簡単な説明】
【００２３】
【図１】第１の実施形態のネットワーク構成の一例を示す図である。
【図２】図１に示したマクロ基地局の一構成例を示すブロック図である。
【図３】ピコ基地局がマクロ基地局に測定情報を送信するためのメッセージの形式の一例を示す図である。
【図４】図３に示したＵＥ１測定情報〜ＵＥｎ測定情報の各フィールドにおけるデータ格納形式の一例を示す図である。
【図５】図２に示した測定結果格納部が記憶するテーブルの一例を示す図である。
【図６Ａ】第１の実施形態におけるマクロ基地局による動作手順を示すフローチャートである。
【図６Ｂ】第１の実施形態におけるマクロ基地局による動作手順を示すフローチャートである。
【図７】図６Ａに示したステップＳ９０１の具体的な処理の手順を示すフローチャートである。
【図８】第１の実施形態におけるｖｉｃｔｉｍセルリストの一例を示す図である。
【図９】図７に示したステップＳ１００２の具体的な処理の手順を示すフローチャートである。
【図１０】図６Ａに示したステップＳ９０４の具体的な処理の手順を示すフローチャートである。
【図１１】第３の実施形態におけるマクロ基地局の一構成例を示すブロック図である。
【図１２】第３の実施形態における隣接セル情報の一例を示す図である。
【図１３】第３の実施形態における近接セル関係リストを作成する手順を示すフローチャートである。
【図１４】関連技術のネットワーク構成において、マクロセルに複数のピコセルが重なる場合を示す図ある。
【図１５】関連技術について、図１４に示したケースとは異なるケースを示す図である。
【発明を実施するための形態】
【００２４】
（第１の実施形態）
本実施形態のネットワーク構成を説明する。図１は本実施形態のネットワーク構成の一例を示す図である。
【００２５】
図１に示すように、本実施形態のネットワークは、マクロ基地局１０１、ピコ基地局２０１、２０４と、ネットワーク３０１とを有する構成である。マクロ基地局１０１、ピコ基地局２０１およびピコ基地局２０４はネットワーク３０１を介して互いに通信可能に接続されている。ネットワーク３０１はＸ２メッセージを基地局間で交換するためのネットワークである。また、マクロ基地局１０１、ピコ基地局２０１およびピコ基地局２０４はＥＰＣ（Ｅｖｏｌｖｅｄ  Ｐａｃｋｅｔ  Ｃｏｒｅ）５０１と接続されている。
【００２６】
マクロ基地局１０１は、ピコ基地局２０１、２０４によるピコセル２０２、２０５に比べて通信エリアの広いマクロセル１０２をカバーする基地局であり、ｅＩＣＩＣのａｇｇｒｅｓｓｏｒセルとして振る舞うセルである。
【００２７】
ピコ基地局２０１、２０４は、マクロセル１０２に比べて通信エリアの狭いピコセル２０２、２０５を有する基地局である。ただし、本実施形態では、ピコ基地局２０１、２０４は、自局のピコセルに収容可能なＵＥ数を増やすためにＣＲＥを使用し、通信エリアをピコセル２０２、２０５からピコセル２０３、２０６へ拡張している。図１に示す例では、ピコセル２０３には、ピコ基地局２０１と通信接続されるＵＥ４０１が存在し、ピコセル２０６には、ピコ基地局２０４と通信接続されるＵＥ４０２が存在する。
【００２８】
なお、ピコセルはマクロセルよりも通信エリアの小さいセルの一例である。ピコ基地局は小セルの無線基地局である小セル無線基地局の一例である。
【００２９】
次に、図１に示したマクロ基地局の構成を説明する。
【００３０】
図２は図１に示したマクロ基地局の一構成例を示すブロック図である。以下では、マクロ基地局によるセル間干渉調整に関する構成と動作について詳しく説明し、ＵＥとの一般的な無線通信に関する技術についての詳細な説明を省略する。
【００３１】
図２に示すように、マクロ基地局１０１は、Ｘ２インタフェース部６０１と、記憶部６１１と、制御部６１２とを有する。記憶部６１１は、測定結果格納部６０４と、ｖｉｃｔｉｍセル格納部６０５とを有する。制御部６１２は、Ａｇｇｒｅｓｓｏｒ  ｅＩＣＩＣ開始判断部６０２と、ＡＢＳパターン生成部６０３とを有する。
【００３２】
Ｘ２インタフェース部６０１は、Ｘ２メッセージをピコ基地局２０１、２０４と交換するためのネットワークインタフェース部であり、ネットワーク３０１と接続されている。
Ｘ２インタフェース部６０１は、他のセルから周辺セル測定情報を受信すると、周辺セル測定情報を測定結果格納部６０４に格納する。
【００３３】
また、Ｘ２インタフェース部６０１は、ｅＩＣＩＣの実行をマクロ基地局に促すための「ａｇｇｒｅｓｓｏｒ  ｅＩＣＩＣ」の開始を要求するＸ２メッセージを他のセルの基地局（例えば、ピコ基地局）から受信すると、受信したＸ２メッセージを解析する。ａｇｇｒｅｓｓｏｒ  ｅＩＣＩＣの開始を要求するＸ２メッセージとして、例えば、値として“ＡＢＳ  Ｉｎｆｏｒｍａｔｉｏｎ”がセットされたＩｎｖｏｋｅ  Ｉｎｄｉｃａｔｉｏｎ  ＩＥを含むＸ２メッセージであるＬＯＡＤ  ＩＮＦＯＲＭＡＴＩＯＮがある。Ｘ２インタフェース部６０１は、Ｘ２メッセージを解析して、そのＡＢＳ  Ｉｎｆｏｒｍａｔｉｏｎを要求してきたセルを特定すると、特定したセルをｖｉｃｔｉｍセル格納部６０５に登録する。
【００３４】
周辺セル測定情報とは、ピコ基地局が自セルに存在するＵＥに対して周辺セルの信号強度を測定させた結果を集めた情報である。この情報は、例えば、基地局がＵＥへＲＲＣ（Ｒａｄｉｏ  Ｒｅｓｏｕｒｃｅ  Ｃｏｎｔｒｏｌ）メッセージ内にｍｅａｓｕｒｅｍｅｎｔ  ｃｏｎｆｉｇｕｒａｔｉｏｎを設定し、ＵＥに測定を指示することで得ることができる。ピコ基地局２０１、２０４は周辺セル測定情報をネットワーク３０１を介してマクロ基地局１０１に送信する。
【００３５】
ここで、ピコ基地局がマクロ基地局に周辺セル測定情報を送信する際のメッセージの形式の具体例を説明する。図３はピコ基地局がマクロ基地局に周辺セル測定情報を送信するためのメッセージの形式の一例を示す図である。
【００３６】
図３に示すように、本メッセージは、送信元セル識別子７０１と、データ属性７０２と、データ長７０３と、ＵＥｋ（ｋは１からｎまでの整数）毎のＵＥｋ識別子７０４−ｋおよびＵＥｋ測定情報７０５−ｋとを有する構成である。本実施形態では、ｎは２以上の整数とする。
【００３７】
送信元セル識別子７０１は、送信元のセルを識別するための識別子である。例えば、ＥＣＧＩ（Ｅ−ＵＴＲＡＮ  Ｃｅｌｌ  Ｇｌｏｂａｌ  Ｉｄｅｎｔｉｆｉｅｒ）が送信元セル識別子７０１に相当する。データ属性７０２は本フィールド以降のデータの内容が周辺セル測定情報であることを示す識別子である。データ長７０３は本フィールド以降のデータ長を示す。
【００３８】
ＵＥ１識別子７０４−１〜ＵＥｎ識別子７０４−ｎのそれぞれは、ＵＥ１測定情報７０５−１〜ＵＥｎ測定情報７０５−ｎのそれぞれの結果を報告したＵＥの識別子である。ＵＥ１測定情報７０５−１〜ＵＥｎ測定情報７０５−ｎは、ＵＥ１〜ＵＥｎによって測定された、セルの信号強度を示す情報である。
【００３９】
図３に示したＵＥ１測定情報７０５−１〜ＵＥｎ測定情報７０５−ｎについて、図４を参照して説明する。図４は図３に示したＵＥ１測定情報〜ＵＥｎ測定情報の各フィールドにおけるデータ格納形式の一例を示す図である。
【００４０】
図４に示すように、ＵＥｋによる測定の結果であるＵＥｋ測定情報７０５−ｋは、測定セル数８０１と、セル識別子（セル１識別子８０２−１〜セルｍ識別子８０２−ｍ）と、信号強度情報（セル１信号強度８０３−１〜セルｍ信号強度８０３−ｍ）とを有する構成である。本実施形態では、ｍは２以上の整数とする。
【００４１】
図４に示す測定情報において、セル１識別子８０２−１、セル２識別子８０２−２、・・・、セルｍ識別子８０２−ｍは、ＵＥｋにおいて観測されたセルの識別子である。本実施形態では、ＵＥのＳｅｒｖｉｎｇセルは観測結果から除去されていると仮定する。セル１信号強度８０３−１、セル２信号強度８０３−２、・・・、セルｍ信号強度８０３−ｍは、ＵＥｋにおいて観測された各セルの信号強度の情報である。
【００４２】
信号強度とは、ＲＳＲＰ（Ｒｅｆｅｒｅｎｃｅ  Ｓｉｇｎａｌ  Ｒｅｃｅｉｖｅｄ  Ｐｏｗｅｒ）もしくはＲＳＲＱ（Ｒｅｆｅｒｅｎｃｅ  Ｓｉｇｎａｌ  Ｒｅｃｅｉｖｅｄ  Ｑｕａｌｉｔｙ）、またはその両方である。
【００４３】
ＵＥ１〜ＵＥｎのそれぞれがセル１〜セルｍのセル毎に測定した結果が測定結果格納部６０４に格納される。ｎは測定結果が格納部に格納されるＵＥの数に相当し、ｍは測定結果が格納部に格納されるセルの数に相当する。ｎは２以上の場合に限らず、ＵＥの数は１つであってもよく、ＵＥの数は限定されない。また、ｍは２以上の場合に限らず、セルの数は１つであってもよく、セルの数は限定されない。
【００４４】
測定結果格納部６０４は、Ｘ２インタフェース部６０１から受け取る周辺セル測定情報をテーブル形式にまとめて記憶する。図５は測定結果格納部が記憶するテーブルの一例を示す図である。図５に示すように、測定結果格納部６０４は、送信元セル、ＵＥ識別子、観測されたセルの識別子、および当該セルの信号強度の情報をテーブルにして記憶する。
送信元セルは、測定情報の送信元となるピコ基地局のピコセルの識別子である。ＵＥ識別子は、送信元セルのピコ基地局と接続されるＵＥの識別子である。観測されたセルの識別子は、送信元セルをＳｅｒｖｉｎｇセルとしたＵＥが信号強度を観測した他のセルを示す識別子である。
【００４５】
例えば、送信元セルがＣｅｌｌ１の場合について図５を参照して説明する。図５は、送信元セルＣｅｌｌ１はＵＥ識別子ＵＥ１〜ＵＥ３のＵＥと接続状態であることを示す。図５では、送信元セルＣｅｌｌ１に対応して、識別子ＵＥ１のＵＥがセルＣｅｌｌ２、Ｃｅｌｌ３、・・・、Ｃｅｌｌ５のそれぞれの信号強度を測定した結果がテーブルに記録され、識別子ＵＥ２のＵＥがセルＣｅｌｌ２、Ｃｅｌｌ４、・・・、Ｃｅｌｌ６のそれぞれの信号強度を測定した結果がテーブルに記録され、識別子ＵＥ３のＵＥがセルＣｅｌｌ２、Ｃｅｌｌ３、・・・、Ｃｅｌｌ５のそれぞれの信号強度を測定した結果がテーブルに記録されている。
【００４６】
ｖｉｃｔｉｍセル格納部６０５はＡＢＳ  Ｉｎｆｏｒｍａｔｉｏｎを要求するセルの情報を記憶する。ＡＢＳ  Ｉｎｆｏｒｍａｔｉｏｎを要求するセルはｖｉｃｔｉｍセルに相当する。ｖｉｃｔｉｍセル格納部６０５には、ｖｉｃｔｉｍセルリストＳ１が格納される。ｖｉｃｔｉｍセルリストＳ１はｖｉｃｔｉｍセルを登録するためのリストである。ｖｉｃｔｉｍセルリストＳ１には、ｖｉｃｔｉｍセルに対応して、ｖｉｃｔｉｍセルの識別子と、そのｖｉｃｔｉｍセルに割り当てられたＡＢＳのサブフレームの番号が登録される。
【００４７】
また、記憶部６１１には、ｖｉｃｔｉｍセルリストＳ１の他にも、ＡＢＳパターン生成部６０３が、ＡＢＳが割り当てられていないｖｉｃｔｉｍセル全般、または割り当て処理中の１つのｖｉｃｔｉｍセルに対して、ＡＢＳの割り当て処理に用いる情報を記録するための種々のテーブルが格納される。記憶部６１１に格納されるテーブルとして、例えば、近接セル関係リストＳ２、第１のサブフレームリストＳ３、第２のサブフレームリストＳ４および第３のサブフレームリストＳ５がある。
【００４８】
近接セル関係リストＳ２は、互いに干渉するほど近接しているピコセルの組み合わせを登録するためのリストである。第１のサブフレームリストＳ３は、ＡＢＳとして割り当て可能なサブフレームの番号を示すリストである。ここで言う「ＡＢＳとして割り当て可能なサブフレーム」には、既にＡＢＳとして割り当てられたサブフレームも含まれる。
【００４９】
第２のサブフレームリストＳ４は、既にＡＢＳとして割り当てられたサブフレームの番号を示すリストである。第３のサブフレームリストＳ５は、ＡＢＳが未割り当てな１つのｖｉｃｔｉｍセルの近接セルに対して割り当てられた全てのＡＢＳの番号を示すリストである。
【００５０】
その他にも、第４および第５のサブフレームリストＳ６、Ｓ７のうち、少なくとも一方が記憶部６１１に格納される。第４のサブフレームリストＳ６は、他のｖｉｃｔｉｍセルに割り当てられたＡＢＳであるが、ＡＢＳが未割り当てな１つのｖｉｃｔｉｍセルに隣接しないセルに割り当てられたＡＢＳの番号を示すリストである。第５のサブフレームリストＳ７は、割り当て可能なＡＢＳのうち、まだどのセルに対してもＡＢＳとして割り当てられていないサブフレームの番号を示すリストである。第４および第５のサブフレームリストＳ６、Ｓ７は、上述の第１〜第３のサブフレームＳ３〜Ｓ５から求められる。
【００５１】
ｖｉｃｔｉｍセルリストＳ１、近接セル関係リストＳ２、第１のサブフレームリストＳ３および第２のサブフレームリストＳ４は、ＡＢＳが未割り当てなｖｉｃｔｉｍセル全般について使用されるリストである。第３のサブフレームリストＳ５〜第５のサブフレームリストＳ７は、ＡＢＳが未割り当てなｖｉｃｔｉｍセルのうち、割り当て処理対象の１つのセルごとに用意されるリストである。これらのリストの詳細な説明は、後述する。
【００５２】
Ａｇｇｒｅｓｓｏｒ  ｅＩＣＩＣ開始判断部６０２は、ａｇｇｒｅｓｓｏｒセルとしての動作開始の有無を判断する。動作開始と判断される場合として、例えば、ＡＢＳ  Ｉｎｆｏｒｍａｔｉｏｎを要求するＸ２メッセージをＸ２インタフェース部６０１を介して他のセルの基地局から受信する場合が考えられる。この場合に限らず、Ａｇｇｒｅｓｓｏｒ  ｅＩＣＩＣ開始判断部６０２は、収集した情報の分析およびその他の方法により、ａｇｇｒｅｓｓｏｒセルとしての動作開始の有無を判断してもよい。Ａｇｇｒｅｓｓｏｒ  ｅＩＣＩＣ開始判断部６０２は、ａｇｇｒｅｓｓｏｒセルとして動作の開始を判断すると、ａｇｇｒｅｓｓｏｒセルとして動作を開始した旨の情報であるａｇｇｒｅｓｓｏｒセル開始情報をＡＢＳパターン生成部６０３に送信する。
【００５３】
ＡＢＳパターン生成部６０３は、Ａｇｇｒｅｓｓｏｒ  ｅＩＣＩＣ開始判断部６０２からａｇｇｒｅｓｓｏｒセル開始情報を受信すると、測定結果格納部６０４に格納された情報およびｖｉｃｔｉｍセル格納部６０５に格納された情報を用いて、ＡＢＳパターンを生成する。ＡＢＳパターンは、１つのフレームにおいて、ＡＢＳが割り当てられたサブフレームを「１」で表し、ＡＢＳが割り当てられないサブフレームを「０」で表すパターンである。例えば、フレームの先頭から「００１０１００１０１・・・」というＡＢＳパターンでは、サブフレームの番号が「３、５、８、１０、・・・」の位置にＡＢＳが割り当てられていることを意味する。ＡＢＳパターン生成部６０３は、生成したＡＢＳパターンをＸ２インタフェース部６０１およびネットワーク３０１を介してｖｉｃｔｉｍセルのピコ基地局に送信する。このＡＢＳは、マクロ基地局１０１が自局と接続されるＵＥにデータを送信することを抑制する時間を示す送信抑制タイミングに相当する。
【００５４】
ＡＢＳパターン生成部６０３は、自局が送信する無線信号と干渉するピコセルが複数ある場合、複数のピコセルに対応する複数のピコ基地局が送信する無線信号が互いに干渉を起こすほど複数のピコセルが近接しているか否かを判定し、判定にしたがって、自局の無線信号の干渉を抑制するための送信抑制タイミングを時間軸方向で割り当てる。具体的には、ＡＢＳパターン生成部６０３は、判定の結果、複数のピコセルが近接している場合、異なるＡＢＳを複数のピコ基地局間で割り当てる。また、ＡＢＳパターン生成部６０３は、複数のピコセルが近接していない場合、同一のＡＢＳを複数のピコ基地局間で割り当てる。ＡＢＳパターン生成部６０３はピコ基地局にＡＢＳを割り当てる割当部に相当する。
ＡＢＳパターン生成部６０３の動作の詳細は、後述する。
【００５５】
なお、図２に示した機能ブロック図における制御部６１２内の各構成は、機能を実行するためのＡＳＩＣ（Application Specific Integrated Circuit）等の専用の集積回路で実現してもよく、制御部６１２に予め設けられたＣＰＵ（Central Processing Unit）およびメモリによって実現するようにしてもよい。具体的には、制御部６１２に、プログラムを記憶するメモリと、プログラムにしたがって処理を実行するＣＰＵとが設けられ、ＣＰＵがプログラムを実行することで、ＡＢＳパターン生成部６０３およびＡｇｇｒｅｓｓｏｒ  ｅＩＣＩＣ開始判断部６０２が仮想的に構成される。メモリは、例えば、フラッシュメモリである。
【００５６】
次に、本実施形態のマクロ基地局のＡＢＳパターン生成部６０３の動作を、図６Ａ〜図１１のフローチャートを参照して説明する。ここでは、測定結果格納部６０４に、各ＵＥにおける各観測セルからのＲＳＲＰが格納されているものとする。
【００５７】
図６Ａおよび図６Ｂは本実施形態のセル間干渉調整方法の手順を説明するためのフローチャートである。
【００５８】
ＡＢＳパターン生成部６０３は、Ａｇｇｒｅｓｓｏｒ  ｅＩＣＩＣ開始判断部６０２からａｇｇｒｅｓｓｏｒセルとして動作の開始が通知されると、初めに初期化処理を実行する（ステップＳ９０１）。ステップＳ９０１における初期化処理の具体的な処理を、図７を参照して説明する。
【００５９】
ステップＳ９０１の初期化処理では、ＡＢＳパターン生成部６０３は、初めに、ｖｉｃｔｉｍセルリストＳ１に全てのｖｉｃｔｉｍセルの識別子をセットする（ステップＳ１００１）。
【００６０】
図８はｖｉｃｔｉｍセルリストＳ１の一例を示す図である。ｖｉｃｔｉｍセルリストＳ１は、ｖｉｃｔｉｍセルの識別子が登録される列１１０１と、そのｖｉｃｔｉｍセルに割り当てられたＡＢＳが登録される列１１０２とで構成される。ｖｉｃｔｉｍセル格納部６０５に登録されるｖｉｃｔｉｍセルの識別子が列１１０１にセットされ、初期段階では、列１１０２に空の状態がセットされる。
【００６１】
次に、ＡＢＳパターン生成部６０３は、近接セル関係リストＳ２の作成処理を実行する（ステップＳ１００２）。近接セル関係リストＳ２には、無線信号が互いに干渉を起こすほど近接しているセルがペアになって登録される。例えば、セルＸ１００とセルＸ２００がペアになって近接セル関係リストＳ２に登録される場合、以下では、セルペア（Ｘ１００，Ｘ２００）と表記する。
【００６２】
ステップＳ１００２の具体的な処理を、図９を参照して説明する。
【００６３】
ステップＳ１００２の処理では、ＡＢＳパターン生成部６０３は、初めに、近接セル関係リストＳ２を空の状態にセットする（ステップＳ１２０１）。次に、ＡＢＳパターン生成部６０３は、測定結果格納部６０４に格納された測定結果の中から、１つのＵＥの測定結果、例えば、図５に示す測定結果１２０１を取り出す（ステップＳ１２０２）。次に、ＡＢＳパターン生成部６０３は、取り出した、１つのＵＥの測定結果のうち、そのＵＥによって測定された複数のセルから１つのセルを選択する（ステップＳ１２０３）。次に、ＡＢＳパターン生成部６０３は、選択したセルのＲＳＲＰ値を予め設定された閾値と比較し、そのＲＳＲＰ値が閾値よりも大きいかどうかをチェックする（ステップＳ１２０４）。この閾値は、選択されたセルが測定結果の送信元（ＵＥのＳｅｒｖｉｎｇセル）と干渉を起こすほど近接しているか否かの判定基準となる値である。
【００６４】
ＡＢＳパターン生成部６０３は、ＲＳＲＰ値が閾値より大きい場合、観測されたセルは、選択したＵＥのＳｅｒｖｉｎｇセルに近接していると判断し、ＲＳＲＰ値が閾値以下の場合、観測されたセルは、選択したＵＥのＳｅｒｖｉｎｇセルに近接していないと判断する。観測セルのＲＳＲＰ値が閾値より大きい場合、ＡＢＳパターン生成部６０３は、セルペア（選択されたＵＥのＳｅｒｖｉｎｇセル，観測されたセル）、またはその順序を逆にしたセルペア（観測されたセル，選択されたＵＥのＳｅｒｖｉｎｇセル）が近接セル関係リストＳ２に登録されているか否かを確認する（ステップＳ１２０５）。
【００６５】
上記２種類のセルペアがいずれも近接セル関係リストＳ２に登録されていない場合、ＡＢＳパターン生成部６０３は、セルペア（選択されたＵＥのＳｅｒｖｉｎｇセル，観測されたセル）を近接セル関係リストＳ２に追加する（ステップＳ１２０６）。
【００６６】
観測された全てのセルに対して、ＡＢＳパターン生成部６０３は、上述のステップＳ１２０４〜ステップＳ１２０６の処理を行い、１つのＵＥから取得した測定結果に関する処理が終了する（ステップＳ１２０３〜Ｓ１２０７）。１つのＵＥから取得した測定結果に関する処理を、ＡＢＳパターン生成部６０３は、全ての送信元セルにおける全てのＵＥに対して行う（ステップＳ１２０２〜Ｓ１２０８）。
【００６７】
図７に示したフローの説明に戻る。ＡＢＳパターン生成部６０３は、ステップＳ１００２における、近接セル関係リストＳ２の作成処理が終了すると、ＡＢＳとして割り当て可能なサブフレームの番号を示すリストである第１のサブフレームリストＳ３をセットする（ステップＳ１００３）。ＡＢＳとして割り当て可能なサブフレームとは、マクロ基地局１０１がＡＢＳとして割り当てることが可能なサブフレームである。ＡＢＳとして割り当て可能なサブフレームは、ネットワーク管理者によって設定され得る。
【００６８】
次に、ＡＢＳパターン生成部６０３は、ｖｉｃｔｉｍセルに割り当てたサブフレームの番号を記録するためのリストである第２のサブフレームリストＳ４を空の状態にセットする（ステップＳ１００４）。このようにして、図６ＡのステップＳ９０１に示した初期化処理が完了する。
【００６９】
ＡＢＳパターン生成部６０３は、ステップＳ９０１の初期化処理が完了すると、ｖｉｃｔｉｍセルリストＳ１に登録されている全てのｖｉｃｔｉｍセルについて順に、ステップＳ９０３〜Ｓ９１２の処理を実行する。ＡＢＳパターン生成部６０３は、ｖｉｃｔｉｍセルリストＳ１を参照し、ＡＢＳが割り当てられていないｖｉｃｔｉｍセルであるＡＢＳ未割り当てｖｉｃｔｉｍセルの中から１つのｖｉｃｔｉｍセルｖｃを選択する（ステップＳ９０３）。ＡＢＳ未割り当てｖｉｃｔｉｍセルとは、図８を参照して説明したｖｉｃｔｉｍセルリストＳ１において、列１１０２にサブフレームがセットされていないｖｉｃｔｉｍセルである。
【００７０】
次に、ＡＢＳパターン生成部６０３は、選択したｖｉｃｔｉｍセルｖｃの近接セルに対して割り当てられた全てのＡＢＳの番号を第３のサブフレームリストＳ５に登録する（ステップＳ９０４）。ステップＳ９０４の具体的な処理を、図１０を参照して説明する。
【００７１】
ステップＳ９０４の処理では、ＡＢＳパターン生成部６０３は、初めに、第３のサブフレームリストＳ５に空の状態をセットして初期化する（ステップＳ１３０１）。次に、ＡＢＳパターン生成部６０３は、近接セル関係リストＳ２の中に登録されているセルペアの中から１つのセルペアを選択する（ステップＳ１３０２）。そして、ＡＢＳパターン生成部６０３は、選択したセルペアに、ステップＳ９０３で選択したｖｉｃｔｉｍセルｖｃが含まれているか否かを調べる（ステップＳ１３０３）。選択されたセルペアにｖｉｃｔｉｍセルｖｃが含まれていない場合、ＡＢＳパターン生成部６０３は、近接セル関係リストＳ２の中に登録されているセルペアの中から別のセルペアを選択し、ステップＳ１３０３の処理を行う。
【００７２】
ステップＳ１３０３の処理において、選択されたセルペアにｖｉｃｔｉｍセルｖｃが含まれている場合、このときのセルペアを（ｖｃ，Ｘ）または（Ｘ，ｖｃ）とすると、ＡＢＳパターン生成部６０３は、ｖｉｃｔｉｍセルリストＳ１を参照して、セルＸにＡＢＳが既に割り当てられているか否かを調べる（ステップＳ１３０４）。セルＸにＡＢＳが既に割り当てられている場合、ＡＢＳパターン生成部６０３は、そのサブフレームの番号を第３のサブフレームリストＳ５に記録する（ステップＳ１３０５）。
【００７３】
このようにして、ＡＢＳパターン生成部６０３は、近接セル関係リストＳ２からｖｉｃｔｉｍセルｖｃが含まれるセルペアを抽出し、ｖｉｃｔｉｍセルリストＳ１を参照して、ｖｉｃｔｉｍセルｖｃの近接セルに対して既に割り当てられた全てのＡＢＳを第３のサブフレームリストＳ５に登録する（ステップＳ１３０２〜Ｓ１３０６）。
【００７４】
図６Ａに示したステップＳ９０４において、ＡＢＳパターン生成部６０３は、ｖｉｃｔｉｍセルｖｃに関して、第３のサブフレームリストＳ５の作成が完了すると、他のｖｉｃｔｉｍセルに割り当てられたＡＢＳであるが、ｖｉｃｔｉｍセルｖｃに隣接しないセルに割り当てられたＡＢＳを第４のサブフレームリストＳ６に登録する（ステップＳ９０５）。第４のサブフレームリストＳ６は、割り当て済みのＡＢＳが登録された第２のサブフレームリストＳ４から、ｖｉｃｔｉｍセルｖｃの近接セルで使用されるＡＢＳが登録された第３のサブフレームリストＳ５を引くことで求められる。この処理を数式で表すと、Ｓ６＝Ｓ４−Ｓ５となる。
【００７５】
次に、ＡＢＳパターン生成部６０３は、第４のサブフレームリストＳ６が空でないかどうかチェックする（ステップＳ９０６）。第４のサブフレームリストＳ６が空でない場合、ＡＢＳパターン生成部６０３は、第４のサブフレームリストＳ６に登録されたサブフレームから任意のサブフレームを、ｖｉｃｔｉｍセルｖｃのためのＡＢＳとして割り当てる（ステップＳ９０７）。そして、ＡＢＳパターン生成部６０３は、ｖｉｃｔｉｍセルｖｃに割り当てたＡＢＳのサブフレーム番号をｖｉｃｔｉｍセルリストＳ１に登録する（ステップＳ９０８）。具体的には、ＡＢＳパターン生成部６０３は、ｖｉｃｔｉｍセルリストＳ１において、列１１０１のｖｉｃｔｉｍセルｖｃに対応する、列１１０２の欄に、ＡＢＳのサブフレーム番号を登録する。
【００７６】
この場合、ｖｉｃｔｉｍセルｖｃには、自セルと隣接しないセルに割り当てられたＡＢＳと同一のＡＢＳが割り当てられるが、無線信号が互いに干渉することはない。
【００７７】
一方、ステップＳ９０６の判定において、第４のサブフレームリストＳ６が空の場合、ＡＢＳパターン生成部６０３は、割り当て可能なサブフレームのリストを第５のサブフレームリストＳ７にセットする（ステップＳ９０９）。第５のサブフレームリストＳ７は、割り当て可能なＡＢＳが登録されたリストである第１のサブフレームリストＳ３から、既に割り当てられたＡＢＳが登録されたリストである第２のサブフレームリストＳ４を引くことで求められる。この処理を数式で表すと、Ｓ７＝Ｓ３−Ｓ４となる。
【００７８】
次に、ＡＢＳパターン生成部６０３は、第５のサブフレームリストＳ７が空でないかどうかチェックする（ステップＳ９１０）。第５のサブフレームが空でない場合、ＡＢＳパターン生成部６０３は、第５のサブフレームリストＳ７に登録されたサブフレームから任意のサブフレームを、ｖｉｃｔｉｍセルｖｃのためのＡＢＳとして割り当てる（ステップＳ９１１）。
【００７９】
次に、ＡＢＳパターン生成部６０３は、ｖｉｃｔｉｍセルｖｃに割り当てたＡＢＳのサブフレーム番号を、ｖｉｃｔｉｍセルリストＳ１および第２のサブフレームリストＳ４に登録する（ステップＳ９１２）。具体的には、ｖｉｃｔｉｍセルリストＳ１において、ＡＢＳパターン生成部６０３は、列１１０１のｖｉｃｔｉｍセルｖｃに対応する、列１１０２の欄に、ＡＢＳのサブフレーム番号を登録する。
【００８０】
この場合、ｖｉｃｔｉｍセルｖｃには、どのセルにも割り当てられていないＡＢＳが割り当てられることになり、無線信号が他のセルと干渉することはない。
【００８１】
このようにして、上記のステップＳ９０３〜ステップＳ９１２の処理を、ＡＢＳパターン生成部６０３は、ｖｉｃｔｉｍセルリストＳ１に登録されている全てのｖｉｃｔｉｍセルに対して行う（ステップＳ９０２〜Ｓ９１３）。これが完了すると、ＡＢＳパターン生成部６０３は、第２のサブフレームリストＳ４に格納された割り当て済みＡＢＳを「１」に設定し、それ以外のサブフレームを「０」に設定したＡＢＳパターンを作成する（ステップＳ９１４）。
【００８２】
ＡＢＳパターン生成部６０３は、ステップＳ９１２でＡＢＳパターンを生成すると、ＡＢＳパターンを通知するためのＸ２メッセージを、ｖｉｃｔｉｍセルリストＳ１に登録されたｖｉｃｔｉｍセルに送信する（ステップＳ９１５）。ＡＢＳパターンを通知するためのＸ２メッセージとして、例えば、ＡＢＳパターンがＡＢＳ  Ｉｎｆｏｒｍａｔｉｏｎ  ＩＥの中に記述されたＸ２メッセージであるＬＯＡＤ  ＩＮＦＯＲＭＡＴＩＯＮがある。
【００８３】
ここで、図１に示したピコ基地局２０１、２０４には、マクロ基地局１０１から共通のＡＢＳパターンが通知されるが、ＡＢＳパターンにはｖｉｃｔｉｍセルの数に対応した数のＡＢＳが割り当てられている。そのため、図１に示すようにピコセル２０３、２０６が近接していても、ピコ基地局２０１、２０４は、データの送信可能な時間帯が増え、自セルに近接するピコセルの無線信号と干渉することが抑制される。
【００８４】
上述したように、本実施形態では、ｖｉｃｔｉｍセルｖｃにＡＢＳを割り当てる際、このセルに近接していない他のｖｉｃｔｉｍセルに割り当てたＡＢＳがある場合、他のセルにＡＢＳとして割り当られたサブフレームと同一のサブフレームを、ＡＢＳとしてｖｉｃｔｉｍセルｖｃに割り当て、該当するＡＢＳがない場合に限って、未だ割り当てられていないＡＢＳをｖｉｃｔｉｍセルｖｃに割り当てる。ｖｉｃｔｉｍセルｖｃと近接しない他のｖｉｃｔｉｍセルに割り当てたＡＢＳが存在する場合、そのＡＢＳを優先的にｖｉｃｔｉｍセルに割り当てるようにしている。
【００８５】
このようにＡＢＳ割り当て処理を行うことで、近接する複数のｖｉｃｔｉｍセルに対して別々のＡＢＳが割り当てられ、ｖｉｃｔｉｍセル同士の干渉を抑制できる。一方、互いに遠隔に位置する複数のｖｉｃｔｉｍセルに対して共通のＡＢＳが割り当てられるので、マクロ基地局と接続されるＵＥのパフォーマンスに対する影響を抑制することが可能となる。ＡＢＳを効率的に割り当てることで、各セルのデータ送信の効率向上が図れる。
【００８６】
なお、本実施形態では、ｖｉｃｔｉｍセルに対して１つのＡＢＳを割り当てる場合を説明したが、ｖｉｃｔｉｍセルに対して割り当てるＡＢＳの数は１つに限定されない。また、ｖｉｃｔｉｍセル内のリソース使用量に対応して、ｖｉｃｔｉｍセルに割り当てるＡＢＳの数を変えてもよい。
【００８７】
（第２の実施形態）
第１の実施形態では、図６Ｂに示したフローのステップＳ９１４において、既に割り当てられたＡＢＳのリストである第２のサブフレームリストＳ４を用いてＡＢＳパターンを生成し、全てのｖｉｃｔｉｍセルに共通のＡＢＳパターンを通知した。この場合において、例えば、ａｇｇｒｅｓｓｏｒセルは、近接するｖｉｃｔｉｍセルｖｃ１、ｖｃ２が互いに相手と干渉しないようにするために、ｖｉｃｔｉｍセルｖｃ１にはサブフレーム＃１を割り当て、ｖｉｃｔｉｍセルｖｃ２にはサブフレーム＃２を割り当てることが考えられる。このとき、サブフレーム＃１、＃２の両方に「１」が設定されたＡＢＳパターンがｖｉｃｔｉｍセルｖｃ１、ｖｃ２に通知される。そのため、ｖｉｃｔｉｍセルｖｃ１、ｖｃ２のそれぞれは、サブフレーム＃１、＃２のそれぞれが自分に割り当てられたことを認識せず、サブフレーム＃１、＃２の両方を利用してしまうと、無線信号が互いに干渉してしまうおそれがある。
【００８８】
本実施形態では、ステップＳ９１４において、第２のサブフレームリストＳ４を用いる代わりに、ｖｉｃｔｉｍセルリストＳ１を用いてｖｉｃｔｉｍセル毎に別々のＡＢＳパターンを生成する。
【００８９】
本実施形態のセル間干渉調整方法を、図８を参照して説明する。
【００９０】
ＡＢＳパターン生成部６０３は、ｖｉｃｔｉｍセルＣｅｌｌ１には、サブフレーム＃１だけが「１」に設定されたＡＢＳパターンをＸ２メッセージで通知する。ＡＢＳパターン生成部６０３は、ｖｉｃｔｉｍセルＣｅｌｌ２には、サブフレーム＃２だけが「１」に設定されたＡＢＳパターンをＸ２メッセージで通知する。
【００９１】
このとき、ＵＥの測定で使用されるＸ２メッセージ内のＡＢＳ  Ｉｎｆｏｒｍａｔｉｏｎ  ＩＥに含まれるＭｅａｓｕｒｅｍｅｎｔ  Ｓｕｂｓｅｔにセットされるパターンについては、ＡＢＳパターンと同様にｖｉｃｔｉｍセル固有のＡＢＳに基づいてセットされるパターンでもよいし、リストＳ４に格納される全ｖｉｃｔｉｍセルで使用されるＡＢＳに基づいてセットされるパターンでも構わない。
【００９２】
本実施形態の場合、各ｖｉｃｔｉｍセルには、近接セルが共通のＡＢＳを使用することがないようにａｇｇｒｅｓｓｏｒセルによってｖｉｃｔｉｍセル毎に割り当てられたＡＢＳが通知される。これによりＡＢＳにおいて、近接するｖｉｃｔｉｍセル同士で無線信号が干渉することを確実に回避することが可能である。
【００９３】
（第３の実施形態）
本実施形態では、各セルからの周辺セル測定情報を用いる代わりに、Ｘ２メッセージで通知される隣接セルリストの情報を用いる。
【００９４】
本実施形態におけるマクロ基地局の構成を説明する。
【００９５】
図１１は本実施形態におけるマクロ基地局の一構成例を示すブロック図である。なお、本実施形態では、第１の実施形態と同様な構成の詳細な説明を省略する。
【００９６】
図１１に示すように、マクロ基地局は、ｖｉｃｔｉｍセル格納部６０５および隣接セルリスト格納部６５４を含む記憶部６５１と、ＡＢＳパターン生成部６５３およびＡｇｇｒｅｓｓｏｒ  ｅＩＣＩＣ開始判断部６０２を含む制御部６５２と、Ｘ２インタフェース部６０１とを有する。
【００９７】
図２に示した構成と比較すると、測定結果格納部６０４の代わりに隣接セルリスト格納部６５４が記憶部６５１に設けられている。Ｘ２インタフェース部６０１が、Ｎｅｉｇｈｂｏｕｒ  Ｉｎｆｏｒｍａｔｉｏｎ  ＩＥを含むＸ２メッセージを他のセルから受信すると、当該ＩＥに含まれる隣接セルリストの情報を隣接セルリスト格納部６５４に格納する。このようなＸ２メッセージとして、例えば、Ｘ２  ＳＥＴＵＰ  ＲＥＱＵＥＳＴおよびＥＮＢ  ＣＯＮＦＩＧＵＲＡＴＩＯＮ  ＵＰＤＡＴＥメッセージなどがある。隣接セルリストは、自セルにどのセルが隣接しているかを示す情報である。隣接セルリスト格納部６５４に、収集される隣接セルリストの情報に基づいて、隣接セルの情報が、例えば、図１２に示すテーブルの形式で格納される。
【００９８】
図１２に示すように、隣接セルの情報は、隣接セルリストを報告してきたセル（Ｓｅｒｖｅｄ  Ｃｅｌｌ）の識別子１５０１に対応して、複数の隣接セル（Ｎｅｉｇｈｂｏｕｒ  Ｃｅｌｌ）の識別子１５０２，１５０３，・・・，１５０４が記述されたテーブルである。隣接セルリストには、識別子１５０１で特定されるＳｅｒｖｅｄ  Ｃｅｌｌに隣接するセルの識別子の情報が含まれている。
【００９９】
本実施形態のマクロセル基地局によるセル間干渉調整方法の動作を説明する。
【０１００】
本実施形態では、第１の実施形態において、図６Ａ〜図１０を参照して説明した動作のうち、図９を参照して説明した近接セル関係リストＳ２の作成処理が図１３に示す作成処理に置き換わる。以下では、第１の実施形態と同様な動作についての詳細な説明を省略し、図１３を参照して、近接セル関係リストＳ２を作成する手順を説明する。
【０１０１】
初めに、ＡＢＳパターン生成部６５３は、近接セル関係リストＳ２を空状態にセットし初期化する（ステップＳ１６０１）。次に、ＡＢＳパターン生成部６５３は、隣接セルリスト格納部６５４に格納されたテーブル（図１２参照）内より、未処理のＳｅｒｖｅｄ  Ｃｅｌｌを選択し（ステップＳ１６０２）、そのセルの識別子をｓにセットする（ステップＳ１６０３）。次に、ＡＢＳパターン生成部６５３は、図１２に示すテーブルを参照し、選択したＳｅｒｖｅｄ  Ｃｅｌｌに対応するＮｅｉｇｈｂｏｕｒ  Ｃｅｌｌのうち、未処理のＮｅｉｇｈｂｏｕｒ  Ｃｅｌｌを１つ選択し（ステップＳ１６０４）、そのセルの識別子をｎにセットする（ステップＳ１６０５）。続いて、ＡＢＳパターン生成部６５３は、セルペア（ｓ，ｎ）および（ｎ，ｓ）が近接セル関係リストＳ２に含まれているか否かをチェックする（ステップＳ１６０６）。セルペア（ｓ，ｎ）および（ｎ，ｓ）のいずれも近接セル関係リストＳ２に含まれてない場合、ＡＢＳパターン生成部６５３は、セルペア（ｓ，ｎ）を近接セル関係リストＳ２にセットする（ステップＳ１６０７）。
【０１０２】
上記のステップＳ１６０５〜Ｓ１６０７の処理を、ＡＢＳパターン生成部６５３は、選択したＳｅｒｖｅｄ  Ｃｅｌｌの全てのＮｅｉｇｈｂｏｕｒ  Ｃｅｌｌに対して行う（ステップＳ１６０４〜Ｓ１６０８）。さらに、ＡＢＳパターン生成部６５３は、Ｓｅｒｖｅｄ  Ｃｅｌｌに対して行ったステップＳ１６０３〜Ｓ１６０８の処理を、隣接セルリスト格納部６５４に登録された全てのＳｅｒｖｅｄ  Ｃｅｌｌに対して行う（ステップＳ１６０２〜Ｓ１６０９）。
【０１０３】
本実施形態では、第１の実施形態で説明した効果と同様な効果が得られるだけでなく、本発明のセル干渉調整方法を３ＧＰＰで既に規定されたＸ２メッセージを用いて実現できるという利点がある。また、本実施形態を第２の実施形態に適用してもよい。
【０１０４】
なお、第１から第３の実施形態では、ＡＢＳを割り当てる無線基地局がマクロ基地局の場合で説明したが、ＣＳＧ（Ｃｌｏｓｅｄ  Ｓｕｂｓｃｒｉｂｅｒ  Ｇｒｏｕｐ）セルの無線基地局であってもよく、ｅＩＣＩＣのａｇｇｒｅｓｓｏｒの処理を行う基地局であれば適用可能であり、特に基地局のカバレッジのサイズに限定されることはない。ただし、ＣＳＧセルの無線基地局はＸ２インタフェース部を有する。
【０１０５】
また、第１から第３の実施形態では、マクロセルよりも通信エリアの小さいセルであるスモールセル（小セル）がピコセルの場合で説明したが、小セルはフェムトセルであってもよく、ｅＩＣＩＣのｖｉｃｔｉｍの処理を行う基地局であれば適用可能であり、特に基地局のカバレッジのサイズに限定されることはない。
【０１０６】
さらに、図１では、ピコセルの全体がマクロセルの通信エリアに含まれる場合を示しているが、ピコセルの全体がマクロセルの通信エリアに含まれていなくてもよい。ピコセルの通信エリアの一部がマクロセルと重なることで、ピコ基地局から送信される無線信号がマクロ基地局から送信される無線信号の干渉を受けている場合にも、第１から第３の実施形態で説明したセル間干渉調整方法を適用できる。
【０１０７】
以上、実施形態を用いて本発明を説明したが、本発明の技術的範囲は、上記実施形態の記載に限定されない。上記実施形態に多様な変更又は改良を加えることが可能であることは当業者にとって自明である。従って、そのような変更又は改良を加えた形態もまた本発明の技術的範囲に含まれることは説明するまでもない。また、以上説明した実施形態において使用される、数値や各構成の名称等は例示的なものであり適宜変更可能である。
【０１０８】
この出願は、２０１５年８月２５日に出願された日本出願特願２０１５−１６５６３９を基礎とする優先権を主張し、その開示の全てをここに取り込む。
【符号の説明】
【０１０９】
１０１    マクロ基地局
６０１    Ｘ２インタフェース部
６０２    Ａｇｇｒｅｓｓｏｒ  ｅＩＣＩＣ開始判断部
６０３、６５３    ＡＢＳパターン生成部（割当部）
６０４    測定結果格納部
６０５    ｖｉｃｔｉｍセル格納部
６５４    隣接セルリスト格納部
６１１、６５１    記憶部
６１２、６５２    制御部
【図１】
2017033435.tif 000003
【図２】
2017033435.tif 000004
【図３】
2017033435.tif 000005
【図４】
2017033435.tif 000006
【図５】
2017033435.tif 000007
【図６Ａ】
2017033435.tif 000008
【図６Ｂ】
2017033435.tif 000009
【図７】
2017033435.tif 000010
【図８】
2017033435.tif 000011
【図９】
2017033435.tif 000012
【図１０】
2017033435.tif 000013
【図１１】
2017033435.tif 000014
【図１２】
2017033435.tif 000015
【図１３】
2017033435.tif 000016
【図１４】
2017033435.tif 000017
【図１５】
2017033435.tif 000018
【手続補正書】
【提出日】平成30年2月6日(2018.2.6)
【手続補正１】
【補正対象書類名】特許請求の範囲
【補正対象項目名】請求項８
【補正方法】変更
【補正の内容】
【請求項８】
無線基地局に、
前記無線基地局が形成するセルである第１セルに通信エリアの少なくとも一部が重なる第２セルを形成する他の無線基地局から送信される無線信号が、当該無線基地局が送信する無線信号の干渉を受けているか否かを判断することと、
前記干渉を受けていると判断された無線信号を送信している他の無線基地局が複数ある場合、その複数の他の無線基地局のそれぞれが形成する第２セルが互いに近接しているか否かを判定することと、
前記判定の結果、前記複数の第２セルが近接している場合、前記無線基地局がデータ送信を抑制する時間を示す送信抑制タイミングを該複数の他の無線基地局間で異なるように割り当て、前記複数の第２セルが近接していない場合、前記送信抑制タイミングを該複数の他の無線基地局間で同一となるように割り当てることを実行させるためのプログラム。
【国際調査報告】
2017033435.tif 000019
2017033435.tif 000020
2017033435.tif 000021